(57)【要約】【課題】発光素子モジュールからの光を照明装置の前後方向に広角に照射する。【解決手段】発光素子１ａを有する発光素子モジュール１と、複数の発光素子モジュール１を取り付けるための取り付け部材２と、取り付け部材２を支持するための支柱４とを具備し、取り付け部材２に取り付けられた複数の発光素子モジュール１からの光が複数の異なる向きに指向せしめられるように、取り付け部材２を複数段階に屈曲させた照明装置において、取り付け部材２の先端側の部分に取り付けられた発光素子モジュール１−２の主光軸線Ｌ１−２と水平面ＨＬとがなす角度θ１−２が、取り付け部材２の根元側の部分に取り付けられた発光素子モジュール１−８の主光軸線Ｌ１−８と水平面ＨＬとがなす角度θ１−８よりも小さくなるように、取り付け部材２を複数段階に屈曲させた。【選択図】図４
2007220572.tif 000002
【特許請求の範囲】
【請求項１】
発光素子を有する発光素子モジュールと、複数の発光素子モジュールを取り付けるための取り付け部材と、前記取り付け部材を支持するための支持部材とを具備し、前記取り付け部材に取り付けられた複数の発光素子モジュールからの光が複数の異なる向きに指向せしめられるように、前記取り付け部材を複数段階に屈曲させた照明装置において、前記取り付け部材の先端側の部分に取り付けられた発光素子モジュールの主光軸線と水平面とがなす角度が、前記取り付け部材の根元側の部分に取り付けられた発光素子モジュールの主光軸線と水平面とがなす角度よりも小さくなるように、前記取り付け部材を複数段階に屈曲させたことを特徴とする照明装置。
【請求項２】
前記取り付け部材の先端側の部分に取り付けられた発光素子モジュールの主光軸線を、照明装置の前側のうち、照明装置から離れた位置に指向させ、前記取り付け部材の根元側の部分に取り付けられた発光素子モジュールの主光軸線を、照明装置の前側のうち、照明装置に近い位置に指向させたことを特徴とする請求項１に記載の照明装置。
【請求項３】
前記発光素子から放射された光を集光させるためのレンズを設け、照明装置の左右方向の集光度合いが照明装置の前後方向の集光度合いよりも小さくなるように、前記レンズの集光特性を設定したことを特徴とする請求項２に記載の照明装置。
【請求項４】
前記取り付け部材を複数個の区画に分割し、前記取り付け部材の区画数よりも少ない数の発光素子モジュールを前記取り付け部材に取り付けたことを特徴とする請求項３に記載の照明装置。
【発明の詳細な説明】
【技術分野】
【０００１】
本発明は、取り付け部材に取り付けられた複数の発光素子モジュールからの光が複数の異なる向きに指向せしめられるように取り付け部材が複数段階に屈曲せしめられた照明装置に関し、特には、発光素子モジュールからの光を照明装置の前後方向に広角に照射することができる照明装置に関する。
【０００２】
詳細には、本発明は、照明装置の前側のうち、照明装置に近い位置および照明装置から離れた位置の両方を明るく照らすことができる照明装置に関する。
【背景技術】
【０００３】
従来から、発光素子を有する発光素子モジュールと、複数の発光素子モジュールを取り付けるための取り付け部材と、取り付け部材を支持するための支持部材とを具備し、取り付け部材に取り付けられた複数の発光素子モジュールからの光が複数の異なる向きに指向せしめられるように、取り付け部材を複数段階に屈曲させた照明装置（照明器具）が知られている。この種の照明装置（照明器具）の例としては、例えば特開２００４−２００１０２号公報に記載されたものがある。
【０００４】
特開２００４−２００１０２号公報に記載された照明装置（照明器具）では、複数個の白色発光ダイオードと、１個の平面プリント基板とによって１個の発光素子モジュールが構成されている。また、５段階に屈曲せしめられた取り付け部材（取付金具）に対して５個の発光素子モジュールが取り付けられている。更に、５個の発光素子モジュールが取り付けられた取り付け部材（取付金具）が、支持部材（ポール）によって支持されている。
【０００５】
詳細には、特開２００４−２００１０２号公報に記載された照明装置（照明器具）では、取り付け部材（取付金具）が左右方向に５段階に屈曲せしめられている。
【０００６】
そのため、特開２００４−２００１０２号公報に記載された照明装置（照明器具）では、左右方向に５段階に屈曲せしめられた取り付け部材（取付金具）のうち、取り付け部材（取付金具）の中央部分に取り付けられた発光素子モジュールの主光軸線と水平面とがなす角度が最も大きくなり、その右側の部分に取り付けられた発光素子モジュールの主光軸線と水平面とがなす角度が２番目に大きくなり、その更に右側の部分に取り付けられた発光素子モジュールの主光軸線と水平面とがなす角度が最も小さくなっている。
【０００７】
また、特開２００４−２００１０２号公報に記載された照明装置（照明器具）では、左右方向に５段階に屈曲せしめられた取り付け部材（取付金具）のうち、取り付け部材（取付金具）の中央部分に取り付けられた発光素子モジュールの主光軸線と水平面とがなす角度が最も大きくなり、その左側の部分に取り付けられた発光素子モジュールの主光軸線と水平面とがなす角度が２番目に大きくなり、その更に左側の部分に取り付けられた発光素子モジュールの主光軸線と水平面とがなす角度が最も小さくなっている。
【０００８】
その結果、特開２００４−２００１０２号公報に記載された照明装置（照明器具）では、取り付け部材（取付金具）に取り付けられた５個の発光素子モジュールからの光が、５方向に指向せしめられ、照明装置（照明器具）の左右方向に広角に照射されている。
【０００９】
それゆえ、例えば特開２００４−２００１０２号公報に記載された照明装置（照明器具）を道路の端に設置した場合には、発光素子モジュールからの光を道路の走行方向に広角に照射することができる。
【００１０】
ところで、特開２００４−２００１０２号公報に記載された照明装置（照明器具）では、取り付け部材（取付金具）が、左右方向に屈曲せしめられているものの、前後方向には屈曲せしめられていない。
【００１１】
詳細には、特開２００４−２００１０２号公報に記載された照明装置（照明器具）では、取り付け部材（取付金具）が左右方向に屈曲せしめられているために、取り付け部材（取付金具）の右側あるいは左側の部分に取り付けられた発光素子モジュールの主光軸線と水平面とがなす角度が、取り付け部材（取付金具）の中央部分に取り付けられた発光素子モジュールの主光軸線と水平面とがなす角度よりも小さくなっているものの、取り付け部材（取付金具）が前後方向には屈曲せしめられていないため、取り付け部材（取付金具）の中央部分に取り付けられた発光素子モジュールのうち、先端側に位置する白色発光ダイオードの主光軸線と、根元側に位置する白色発光ダイオードの主光軸線とがほぼ平行になっている。
【００１２】
その結果、特開２００４−２００１０２号公報に記載された照明装置（照明器具）では、発光素子モジュールからの光を、照明装置（照明器具）の左右方向に広角に照射することができるものの、照明装置（照明器具）の前後方向には広角に照射することができない。
【００１３】
それゆえ、特開２００４−２００１０２号公報に記載された照明装置（照明器具）では、照明装置（照明器具）の前側のうち、照明装置（照明器具）に近い位置を明るく照らそうとすると、照明装置（照明器具）から離れた位置を明るく照らすことができなくなってしまい、一方、照明装置（照明器具）の前側のうち、照明装置（照明器具）から離れた位置を明るく照らそうとすると、照明装置（照明器具）に近い位置を明るく照らすことができなくなってしまう。
【００１４】
詳細には、例えば特開２００４−２００１０２号公報に記載された照明装置（照明器具）を道路の端に設置した場合には、発光素子モジュールからの光を道路の車線方向に広角に照射することができず、その結果、道路の車線方向のうち、照明装置（照明器具）に近い位置の路面、あるいは、照明装置（照明器具）から離れた位置の路面のいずれか一方しか明るく照らすことができない。
【００１５】
【特許文献１】特開２００４−２００１０２号公報
【発明の開示】
【発明が解決しようとする課題】
【００１６】
前記問題点に鑑み、本発明は、発光素子モジュールからの光を照明装置の前後方向に広角に照射することができる照明装置を提供することを目的とする。
【００１７】
換言すれば、本発明は、照明装置の前側のうち、照明装置に近い位置および照明装置から離れた位置の両方を明るく照らすことができる照明装置を提供することを目的とする。
【００１８】
詳細には、本発明は、道路の車線方向のうち、照明装置に近い位置の路面および照明装置から離れた位置の路面の両方を明るく照らすことができる照明装置を提供することを目的とする。
【課題を解決するための手段】
【００１９】
請求項１に記載の発明によれば、発光素子を有する発光素子モジュールと、複数の発光素子モジュールを取り付けるための取り付け部材と、前記取り付け部材を支持するための支持部材とを具備し、前記取り付け部材に取り付けられた複数の発光素子モジュールからの光が複数の異なる向きに指向せしめられるように、前記取り付け部材を複数段階に屈曲させた照明装置において、前記取り付け部材の先端側の部分に取り付けられた発光素子モジュールの主光軸線と水平面とがなす角度が、前記取り付け部材の根元側の部分に取り付けられた発光素子モジュールの主光軸線と水平面とがなす角度よりも小さくなるように、前記取り付け部材を複数段階に屈曲させたことを特徴とする照明装置が提供される。
【００２０】
請求項２に記載の発明によれば、前記取り付け部材の先端側の部分に取り付けられた発光素子モジュールの主光軸線を、照明装置の前側のうち、照明装置から離れた位置に指向させ、前記取り付け部材の根元側の部分に取り付けられた発光素子モジュールの主光軸線を、照明装置の前側のうち、照明装置に近い位置に指向させたことを特徴とする請求項１に記載の照明装置が提供される。
【００２１】
請求項３に記載の発明によれば、前記発光素子から放射された光を集光させるためのレンズを設け、照明装置の左右方向の集光度合いが照明装置の前後方向の集光度合いよりも小さくなるように、前記レンズの集光特性を設定したことを特徴とする請求項２に記載の照明装置が提供される。
【００２２】
請求項４に記載の発明によれば、前記取り付け部材を複数個の区画に分割し、前記取り付け部材の区画数よりも少ない数の発光素子モジュールを前記取り付け部材に取り付けたことを特徴とする請求項３に記載の照明装置が提供される。
【発明の効果】
【００２３】
請求項１及び２に記載の照明装置では、取り付け部材の先端側の部分に取り付けられた発光素子モジュールの主光軸線と水平面とがなす角度が、取り付け部材の根元側の部分に取り付けられた発光素子モジュールの主光軸線と水平面とがなす角度よりも小さくなるように、取り付け部材が複数段階に屈曲せしめられている。
【００２４】
換言すれば、請求項１及び２に記載の照明装置では、取り付け部材が照明装置の前後方向に複数段階に屈曲せしめられ、その結果、取り付け部材の先端側の部分に取り付けられた発光素子モジュールの主光軸線と水平面とがなす角度が、取り付け部材の根元側の部分に取り付けられた発光素子モジュールの主光軸線と水平面とがなす角度よりも小さくなっている。
【００２５】
好ましくは、請求項１及び２に記載の照明装置では、取り付け部材の先端側の部分に取り付けられた発光素子モジュールの主光軸線が、照明装置の前側のうち、照明装置から離れた位置に指向せしめられ、取り付け部材の根元側の部分に取り付けられた発光素子モジュールの主光軸線が、照明装置の前側のうち、照明装置に近い位置に指向せしめられている。
【００２６】
そのため、請求項１及び２に記載の照明装置によれば、発光素子モジュールからの光を照明装置の前後方向に広角に照射することができる。
【００２７】
換言すれば、請求項１及び２に記載の照明装置によれば、照明装置の前側のうち、照明装置に近い位置および照明装置から離れた位置の両方を明るく照らすことができる。
【００２８】
詳細には、請求項１及び２に記載の照明装置を道路の端に設置した場合には、道路の車線方向のうち、照明装置に近い位置の路面および照明装置から離れた位置の路面の両方を明るく照らすことができる。
【００２９】
また、請求項１及び２に記載の照明装置では、上述したように、取り付け部材の先端側の部分に取り付けられた発光素子モジュールの主光軸線が、照明装置の前側のうち、照明装置から離れた位置に指向せしめられているため、取り付け部材の根元側の部分に取り付けられた発光素子モジュールの主光軸線が、照明装置の前側のうち、照明装置から離れた位置に指向せしめられる場合よりも、発光素子モジュールからの光路を短くすることができ、照明装置から離れた位置を明るく照らすことができる。
【００３０】
請求項３に記載の照明装置では、発光素子から放射された光を集光させるためのレンズが設けられている。更に、照明装置の左右方向の集光度合いが照明装置の前後方向の集光度合いよりも小さくなるように、レンズの集光特性が設定されている。
【００３１】
そのため、請求項３に記載の照明装置によれば、発光素子モジュールの左右方向寸法を小さく抑えつつ、発光素子モジュールからの光を照明装置の左右方向に広角に照射することができる。それゆえ、請求項３に記載の照明装置によれば、複数の発光素子モジュールが取り付けられる取り付け部材の左右方向寸法を小さく抑えつつ、発光素子モジュールからの光を照明装置の左右方向に広角に照射することができる。
【００３２】
つまり、請求項３に記載の照明装置によれば、複数の発光素子モジュールおよび取り付け部材が支持部材から左右方向に突出する量を小さく抑えつつ、発光素子モジュールからの光を照明装置の左右方向に広角に照射することができる。
【００３３】
取り付け部材を複数個の区画に分割し、取り付け部材の区画数と同一の数の発光素子モジュールを取り付け部材に取り付けると、ある区画に取り付けられた発光素子モジュールからの光と、他の区画に取り付けられた発光素子モジュールからの光とが重なり合ってしまう。
【００３４】
この点に鑑み、請求項４に記載の照明装置では、ある区画に取り付けられた発光素子モジュールからの光と、他の区画に取り付けられた発光素子モジュールからの光とが重なり合ってしまうのを低減するために、取り付け部材が複数個の区画に分割され、取り付け部材の区画数よりも少ない数の発光素子モジュールが取り付け部材に取り付けられている。
【００３５】
そのため、請求項４に記載の照明装置によれば、照明装置全体の性能を低下させることなく、発光素子モジュールの数を低減することができる。その結果、請求項４に記載の照明装置によれば、照明装置全体の性能を低下させることなく、照明装置の製造コストおよび運転コストを低減することができる。
【００３６】
換言すれば、請求項４に記載の照明装置では、発光素子モジュールの数よりも多い数の区画が取り付け部材に形成されている。そのため、請求項４に記載の照明装置によれば、発光素子モジュールが取り付けられる区画を変更することにより、つまり、発光素子モジュールが取り付けられる位置を変更することにより、照明装置全体の特性を容易に変更することができる。すなわち、照明装置が設置される状況に応じて照明装置全体の特性を容易に変更することができる。
【発明を実施するための最良の形態】
【００３７】
以下、本発明の照明装置の第１の実施形態について説明する。図１は第１の実施形態の照明装置の一部を構成する発光素子モジュール１を示した図である。詳細には、図１（Ａ）は部分的に断面で示した発光素子モジュール１の左側面図、図１（Ｂ）は発光素子モジュール１の正面図、図１（Ｃ）は発光素子モジュール１を前側かつ左側かつ下側から見た斜視図、図１（Ｄ）は発光素子モジュール１の底面図である。
【００３８】
図１において、１ａは例えばＬＥＤのような発光素子を示している。１ｂは発光素子１ａから放射された光を下向き（図１（Ａ）および図１（Ｂ）の下側）に反射するための反射面を備えたリフレクタを示している。１ｃは発光素子１ａからの直射光およびリフレクタ１ｂの反射面からの反射光を配光制御するためにリフレクタ１ｂに取り付けられたレンズを示している。
【００３９】
また、図１において、１ｄは発光素子１ａおよびリフレクタ１ｂを支持し、かつ、発光素子１ａが発生した熱を放熱あるいは熱伝導するための熱インターフェース材を示している。１ｅは熱インターフェース材１ｄを支持するためのハウジングを示している。１ｅ１はハウジング１ｅの一部を構成しているフィンを示している。１ｆは発光素子１ａ、リフレクタ１ｂ、レンズ１ｃおよび熱インターフェース材１ｄを覆うためのカバーを示している。２は発光素子モジュール１を取り付けるための取り付け部材を示している。
【００４０】
第１の実施形態の照明装置では、発光素子１ａが発生した熱の一部が、熱インターフェース材１ｄから放熱せしめられる。また、発光素子１ａが発生した熱の一部が、熱インターフェース材１ｄを介してハウジング１ｅのフィン１ｅ１に熱伝導され、フィン１ｅ１から放熱せしめられる。更に、発光素子１ａが発生した熱の一部が、熱インターフェース材１ｄおよびハウジング１ｅを介して取り付け部材２に熱伝導され、取り付け部材２から放熱せしめられる。
【００４１】
第１の実施形態の照明装置では、図１に示すように、１個の発光素子モジュール１に３組の発光素子１ａ、リフレクタ１ｂおよびレンズ１ｃが設けられているが、第２の実施形態の照明装置では、代わりに、３組以外の任意の組数の発光素子１ａ、リフレクタ１ｂおよびレンズ１ｃを１個の発光素子モジュール１に設けることも可能である。
【００４２】
図２は図１に示した発光素子モジュール１から照射される光の配光パターンを示した図である。図２の左側が、図１に示した発光素子モジュール１の後側（図１（Ｃ）の左下側）に相当し、図２の右側が、図１に示した発光素子モジュール１の前側（図１（Ｃ）の右上側）に相当し、図２の上側が、図１に示した発光素子モジュール１の右側（図１（Ｃ）の右下側）に相当し、図２の下側が、図１に示した発光素子モジュール１の左側（図１（Ｃ）の左上側）に相当している。
【００４３】
第１の実施形態の照明装置では、図１および図２に示すように、発光素子モジュール１の左右方向（図１（Ａ）の手前−奥側方向、図１（Ｂ）の左右方向、図１（Ｃ）の左上−右下側方向、図１（Ｄ）の左右方向、図２の上下方向）の集光度合いが、発光素子モジュール１の前後方向（図１（Ａ）の左右方向、図１（Ｂ）の手前−奥側方向、図１（Ｃ）の右上−左下側方向、図１（Ｄ）の上下方向、図２の左右方向）の集光度合いよりも小さくなるように、レンズ１ｃの集光特性が設定されている。
【００４４】
換言すれば、第１の実施形態の照明装置では、図２に示すように、発光素子モジュール１から照射される光の配光パターンが、前後方向（図２の左右方向）よりも左右方向（図２の上下方向）に長くなるように設定されている。
【００４５】
図３および図４は図１に示した発光素子モジュール１が複数取り付けられた取り付け部材２、並びに、複数の発光素子モジュール１および取り付け部材２を覆うためのランプ傘３を示した図である。詳細には、図３（Ａ）は取り付け部材２およびランプ傘３の正面図、図３（Ｂ）は取り付け部材２およびランプ傘３の底面図、図４（Ａ）はランプ傘３の左側面図、図４（Ｂ）はランプ傘３の一部を透視して見た取り付け部材２の左側面図である。
【００４６】
第１の実施形態の照明装置では、図３（Ａ）および図３（Ｂ）に示すように、取り付け部材２が１８個の区画２−１，２−２，２−３，２−４，２−５，２−６，２−７，２−８，２−９，２−１０，２−１１，２−１２，２−１３，２−１４，２−１５，２−１６，２−１７，２−１８に分割され、それらの区画のうち、１４個の区画に対して、図１に示した発光素子モジュール１（１−１，１−２，１−３，１−４，１−６，１−７，１−８，１−９，１−１０，１−１２，１−１３，１−１５，１−１６，１−１８）が１４個取り付けられている。
【００４７】
詳細には、図３（Ａ）および図３（Ｂ）に示すように、取り付け部材２の区画２−１と、区画２−２と、区画２−３とが、２段階に屈曲せしめられ、凹状（詳細には、下側から見て凹状）に形成されている。その結果、区画２−１に取り付けられた発光素子モジュール１−１と、区画２−２に取り付けられた発光素子モジュール１−２と、区画２−３に取り付けられた発光素子モジュール１−３とが、異なる方向に指向せしめられている。
【００４８】
また、図３（Ａ）および図３（Ｂ）に示すように、取り付け部材２の区画２−４と、区画２−５と、区画２−６とが、２段階に屈曲せしめられ、凹状（詳細には、下側から見て凹状）に形成されている。その結果、区画２−４に取り付けられた発光素子モジュール１−４と、区画２−６に取り付けられた発光素子モジュール１−６とが、互いに異なる方向に指向せしめられている。更に、取り付け部材２の区画２−２に対して区画２−１，２−３を屈曲させる角度と、取り付け部材２の区画２−５に対して区画２−４，２−６を屈曲させる角度とが異なる値に設定されている。その結果、区画２−４に取り付けられた発光素子モジュール１−４、および、区画２−６に取り付けられた発光素子モジュール１−６は、発光素子モジュール１−１，１−２，１−３とも異なる方向に指向せしめられている。
【００４９】
更に、図３（Ａ）および図３（Ｂ）に示すように、取り付け部材２の区画２−７と、区画２−８と、区画２−９とが、２段階に屈曲せしめられ、凹状（詳細には、下側から見て凹状）に形成されている。その結果、区画２−７に取り付けられた発光素子モジュール１−７と、区画２−８に取り付けられた発光素子モジュール１−８と、区画２−９に取り付けられた発光素子モジュール１−９とが、互いに異なる方向に指向せしめられている。また、図３（Ｂ）および図４（Ｂ）に示すように、取り付け部材２の区画２−５と、区画２−８とが、凸状（詳細には、下側から見て凸状）に屈曲せしめられている。その結果、区画２−７に取り付けられた発光素子モジュール１−７、区画２−８に取り付けられた発光素子モジュール１−８、および、区画２−９に取り付けられた発光素子モジュール１−９は、発光素子モジュール１−１，１−２，１−３，１−４，１−６とも異なる方向に指向せしめられている。
【００５０】
また、図３（Ａ）および図３（Ｂ）に示すように、取り付け部材２の区画２−１０と、区画２−１１と、区画２−１２とが、２段階に屈曲せしめられ、凹状（詳細には、下側から見て凹状）に形成されている。その結果、区画２−１０に取り付けられた発光素子モジュール１−１０と、区画２−１２に取り付けられた発光素子モジュール１−１２とが、互いに異なる方向に指向せしめられている。更に、取り付け部材２の区画２−８に対して区画２−７，２−９を屈曲させる角度と、取り付け部材２の区画２−１１に対して区画２−１０，２−１２を屈曲させる角度とが異なる値に設定されている。その結果、区画２−１０に取り付けられた発光素子モジュール１−１０、および、区画２−１２に取り付けられた発光素子モジュール１−１２は、発光素子モジュール１−１，１−２，１−３，１−４，１−６，１−７，１−８，１−９とも異なる方向に指向せしめられている。
【００５１】
更に、図３（Ａ）および図３（Ｂ）に示すように、取り付け部材２の区画２−１３と、区画２−１４と、区画２−１５とが、２段階に屈曲せしめられ、凹状（詳細には、下側から見て凹状）に形成されている。その結果、区画２−１３に取り付けられた発光素子モジュール１−１３と、区画２−１５に取り付けられた発光素子モジュール１−１５とが、互いに異なる方向に指向せしめられている。また、図３（Ｂ）および図４（Ｂ）に示すように、取り付け部材２の区画２−１１と、区画２−１４とが、凸状（詳細には、下側から見て凸状）に屈曲せしめられている。その結果、区画２−１３に取り付けられた発光素子モジュール１−１３、および、区画２−１５に取り付けられた発光素子モジュール１−１５は、発光素子モジュール１−１，１−２，１−３，１−４，１−６，１−７，１−８，１−９，１−１０，１−１２とも異なる方向に指向せしめられている。
【００５２】
また、図３（Ａ）および図３（Ｂ）に示すように、取り付け部材２の区画２−１６と、区画２−１７と、区画２−１８とが、２段階に屈曲せしめられ、凹状（詳細には、下側から見て凹状）に形成されている。その結果、区画２−１６に取り付けられた発光素子モジュール１−１６と、区画２−１８に取り付けられた発光素子モジュール１−１８とが、互いに異なる方向に指向せしめられている。更に、取り付け部材２の区画２−１４に対して区画２−１３，２−１５を屈曲させる角度と、取り付け部材２の区画２−１７に対して区画２−１６，２−１８を屈曲させる角度とが異なる値に設定されている。その結果、区画２−１６に取り付けられた発光素子モジュール１−１６、および、区画２−１８に取り付けられた発光素子モジュール１−１８は、発光素子モジュール１−１，１−２，１−３，１−４，１−６，１−７，１−８，１−９，１−１０，１−１２，１−１３，１−１５とも異なる方向に指向せしめられている。
【００５３】
図５は第１の実施形態の照明装置１０の全体図である。詳細には、図５（Ａ）は第１の実施形態の照明装置１０の正面図、図５（Ｂ）は第１の実施形態の照明装置１０の左側面図である。
【００５４】
図５において、４は図３および図４に示した取り付け部材２を支持するための支柱を示している。１−１Ｒは図３（Ａ）および図３（Ｂ）に示した発光素子モジュール１−１から照射される光の配光パターンの右縁部（図２の上縁部）を示している。１−３Ｌは図３（Ａ）および図３（Ｂ）に示した発光素子モジュール１−３から照射される光の配光パターンの左縁部（図２の下縁部）を示している。
【００５５】
また、図５において、Ｌ１−２は図３（Ａ）、図３（Ｂ）および図４（Ｂ）に示した発光素子モジュール１−２の主光軸線を示している。Ｌ１−８は図３（Ａ）、図３（Ｂ）および図４（Ｂ）に示した発光素子モジュール１−８の主光軸線を示している。θ１−２は発光素子モジュール１−２の主光軸線Ｌ１−２と水平面ＨＬ（図４（Ｂ）参照）とがなす角度を示している。θ１−８は発光素子モジュール１−８の主光軸線Ｌ１−８と水平面ＨＬ（図４（Ｂ）参照）とがなす角度を示している。１−２Ｆは発光素子モジュール１−２から照射される光の配光パターンの前縁部（図２の右縁部）を示している。１−１６Ｂは図３（Ａ）および図３（Ｂ）に示した発光素子モジュール１−１６から照射される光の配光パターンの後縁部（図２の左縁部）を示している。
【００５６】
第１の実施形態の照明装置１０では、図３〜図５に示すように、取り付け部材２がランプ傘３の一部を介して支柱４に取り付けられているが、第３の実施形態の照明装置１０では、代わりに、取り付け部材２を支柱４に直接取り付けたり、あるいは、ランプ傘３以外の部材を介して取り付け部材２を支柱４に取り付けたりすることも可能である。
【００５７】
第１の実施形態の照明装置１０では、図３（Ａ）、図３（Ｂ）、図４（Ｂ）および図５（Ｂ）に示すように、取り付け部材２の先端側（前側）（図３（Ａ）の上側、図３（Ｂ）の上側、図４（Ｂ）の右側、図５（Ｂ）の右側）の部分に取り付けられた発光素子モジュール１−２の主光軸線Ｌ１−２と水平面ＨＬ（図４（Ｂ）参照）とがなす角度θ１−２が、発光素子モジュール１−２の後側（取り付け部材２の根元側）（図３（Ａ）の下側、図３（Ｂ）の下側、図４（Ｂ）の左側、図５（Ｂ）の左側）に取り付けられた発光素子モジュール１−８の主光軸線Ｌ１−８と水平面ＨＬ（図４（Ｂ）参照）とがなす角度θ１−８よりも小さくなるように、取り付け部材２が２段階に屈曲せしめられ、凸状（詳細には、下側から見て凸状）に形成されている。
【００５８】
換言すれば、第１の実施形態の照明装置１０では、図４（Ｂ）に示すように、取り付け部材２が前後方向（図４（Ｂ）の左右方向）に２段階に屈曲せしめられ、その結果、取り付け部材２の先端側（図４（Ｂ）の右側）の部分に取り付けられた発光素子モジュール１−２の主光軸線Ｌ１−２と水平面ＨＬとがなす角度θ１−２が、発光素子モジュール１−２より取り付け部材２の根元側（図４（Ｂ）の左側）の部分に取り付けられた発光素子モジュール１−８の主光軸線Ｌ１−８と水平面ＨＬとがなす角度θ１−８よりも小さくなっている。
【００５９】
詳細には、第１の実施形態の照明装置１０では、図４（Ｂ）および図５に示すように、取り付け部材２の先端側（図４（Ｂ）の右側、図５（Ｂ）の右側）の部分に取り付けられた発光素子モジュール１−２の主光軸線Ｌ１−２が、照明装置１０から離れた位置Ｐ１−２に指向せしめられ、発光素子モジュール１−２より取り付け部材２の根元側（図４（Ｂ）の左側、図５（Ｂ）の左側）の部分に取り付けられた発光素子モジュール１−８の主光軸線Ｌ１−８が、照明装置１０に近い位置Ｐ１−８に指向せしめられている。
【００６０】
そのため、第１の実施形態の照明装置によれば、発光素子モジュール１−１，１−２，１−３，１−４，１−６，１−７，１−８，１−９，１−１０，１−１２，１−１３，１−１５，１−１６，１−１８からの光を照明装置１０の前後方向（図５（Ｂ）の左右方向）に広角に照射することができる。
【００６１】
換言すれば、第１の実施形態の照明装置１０によれば、照明装置１０の前側（図５（Ｂ）の右側）のうち、照明装置１０に近い位置および照明装置１０から離れた位置の両方を明るく照らすことができる。
【００６２】
詳細には、第１の実施形態の照明装置１０を道路の端に設置した場合には、道路の車線方向（図５（Ｂ）の左右方向）のうち、照明装置１０に近い位置の路面および照明装置１０から離れた位置の路面の両方を明るく照らすことができる。
【００６３】
また、第１の実施形態の照明装置１０では、図４（Ｂ）および図５（Ｂ）に示すように、取り付け部材２の先端側（図４（Ｂ）の右側）の部分に取り付けられた発光素子モジュール１−２の主光軸線Ｌ１−２が、照明装置１０から離れた位置Ｐ１−２に指向せしめられているため、取り付け部材２の根元側（図４（Ｂ）の左側）の部分に取り付けられた発光素子モジュール（例えば発光素子モジュール１−１６，１−１８など）の主光軸線が、照明装置１０から離れた位置Ｐ１−２に指向せしめられる場合よりも、発光素子モジュールから照射位置Ｐ１−２までの光路を短くすることができ、その結果、照明装置１０から離れた位置Ｐ１−２を明るく照らすことができる。
【００６４】
更に、第１の実施形態の照明装置１０では、図１（Ａ）および図１（Ｃ）に示すように、発光素子１ａから放射された光を集光させるためのレンズ１ｃが設けられている。また、図２に示すように、照明装置１０の左右方向（図２の上下方向）の集光度合いが照明装置１０の前後方向（図２の左右方向）の集光度合いよりも小さくなるように、つまり、発光素子モジュール１から照射される光の配光パターンの左右方向寸法（図２の上下方向寸法）が前後方向寸法（図２の左右方向寸法）よりも大きくなるように、レンズ１ｃの集光特性が設定されている。
【００６５】
そのため、第１の実施形態の照明装置１０によれば、発光素子モジュール１の左右方向寸法（図１（Ｂ）の左右方向寸法、図１（Ｄ）の左右方向寸法）を小さく抑えつつ、発光素子モジュール１からの光を照明装置１０の左右方向（図５（Ａ）の左右方向）に広角に照射することができる。それゆえ、第１の実施形態の照明装置１０によれば、複数の発光素子モジュール１（１−１，１−２，１−３，１−４，１−６，１−７，１−８，１−９，１−１０，１−１２，１−１３，１−１５，１−１６，１−１８）が取り付けられる取り付け部材２の左右方向寸法（図３（Ａ）の左右方向寸法、図３（Ｂ）の左右方向寸法）を小さく抑えつつ、発光素子モジュール１からの光を照明装置１０の左右方向（図５（Ａ）の左右方向）に広角に照射することができる。
【００６６】
つまり、第１の実施形態の照明装置１０によれば、図３（Ａ）、図３（Ｂ）および図５（Ａ）に示すように、複数の発光素子モジュール１（１−１，１−２，１−３，１−４，１−６，１−７，１−８，１−９，１−１０，１−１２，１−１３，１−１５，１−１６，１−１８）および取り付け部材２が支柱４から左右方向（図５（Ａ）の左右方向）に突出する量を小さく抑えつつ、発光素子モジュール１からの光を照明装置１０の左右方向（図５（Ａ）の左右方向）に広角に照射することができる。
【００６７】
図３（Ａ）および図３（Ｂ）に示すように、仮に、取り付け部材２の区画数（１８個）と同一の数の発光素子モジュール１を取り付け部材２に取り付けると、区画２−２に取り付けられた発光素子モジュール１−２からの光と、区画２−５に取り付けられた発光素子モジュール１からの光とが重なり合い、区画２−８に取り付けられた発光素子モジュール１−８からの光と、区画２−１１に取り付けられた発光素子モジュール１からの光とが重なり合い、区画２−１３，２−１５に取り付けられた発光素子モジュール１−１３，１−１５からの光と、区画２−１４に取り付けられた発光素子モジュール１からの光とが重なり合い、区画２−１６，２−１８に取り付けられた発光素子モジュール１−１６，１−１８からの光と、区画２−１７に取り付けられた発光素子モジュール１からの光とが重なり合ってしまう。
【００６８】
この点に鑑み、第１の実施形態の照明装置１０では、図３（Ａ）および図３（Ｂ）に示すように、区画２−２に取り付けられた発光素子モジュール１−２からの光と、区画２−５に取り付けられた発光素子モジュール１からの光とが重なり合ってしまうのを回避するために、区画２−５には発光素子モジュール１が取り付けられていない。また、区画２−８に取り付けられた発光素子モジュール１−８からの光と、区画２−１１に取り付けられた発光素子モジュール１からの光とが重なり合ってしまうのを回避するために、区画２−１１には発光素子モジュール１が取り付けられていない。更に、区画２−１３，２−１５に取り付けられた発光素子モジュール１−１３，１−１５からの光と、区画２−１４に取り付けられた発光素子モジュール１からの光とが重なり合ってしまうのを回避するために、区画２−１４には発光素子モジュール１が取り付けられていない。また、区画２−１６，２−１８に取り付けられた発光素子モジュール１−１６，１−１８からの光と、区画２−１７に取り付けられた発光素子モジュール１からの光とが重なり合ってしまうのを回避するために、区画２−１７には発光素子モジュール１が取り付けられていない。
【００６９】
つまり、第１の実施形態の照明装置１０では、取り付け部材２の区画数（１８個）よりも少ない数（１４個）の発光素子モジュール１が取り付け部材２に取り付けられている。
【００７０】
そのため、第１の実施形態の照明装置１０によれば、照明装置全体の性能を低下させることなく、発光素子モジュール１の数を低減することができる。その結果、第１の実施形態の照明装置１０によれば、照明装置全体の性能を低下させることなく、照明装置１０の製造コストおよび運転コストを低減することができる。
【００７１】
換言すれば、第１の実施形態の照明装置１０では、発光素子モジュール１の数よりも多い数の区画が取り付け部材２に形成されている。そのため、第１の実施形態の照明装置１０によれば、発光素子モジュール１が取り付けられる区画を変更することにより、つまり、発光素子モジュール１が取り付けられる位置を変更することにより、照明装置全体の特性を容易に変更することができる。すなわち、照明装置１０が設置される状況に応じて照明装置全体の特性を容易に変更することができる。
【００７２】
第１の実施形態の照明装置１０では、図３（Ａ）および図３（Ｂ）に示すように、１４個の発光素子モジュール１が、１８個の区画を有する取り付け部材２に取り付けられているが、第４の実施形態の照明装置では、代わりに、１４個以外の任意の数の発光素子モジュール１を、発光素子モジュール１の数より多い任意の数の区画を有する取り付け部材２に取り付けることも可能である。
【００７３】
詳細には、第１の実施形態の照明装置１０では、１個の発光素子モジュール１によって照射される領域と、照明装置全体の照射領域とがほぼ一致せしめられるのではなく、１個の発光素子モジュール１によって照射される領域が、照明装置全体の照射領域より小さくされている。
【００７４】
更に詳細には、第１の実施形態の照明装置１０では、照明装置全体の照射領域が複数の小さい領域に分割され、１つの小さい領域に１個の発光素子モジュール１の照射領域が割り当てられている。また、隣接する２個の発光素子モジュール１の照射領域に重複部分が設けられている。
【００７５】
第５の実施形態では、上述した第１から第４の実施形態を適宜組合わせることも可能である。
【図面の簡単な説明】
【００７６】
【図１】第１の実施形態の照明装置の一部を構成する発光素子モジュール１を示した図である。
【図２】図１に示した発光素子モジュール１から照射される光の配光パターンを示した図である。
【図３】図１に示した発光素子モジュール１が複数取り付けられた取り付け部材２、並びに、複数の発光素子モジュール１および取り付け部材２を覆うためのランプ傘３を示した図である。
【図４】図１に示した発光素子モジュール１が複数取り付けられた取り付け部材２、並びに、複数の発光素子モジュール１および取り付け部材２を覆うためのランプ傘３を示した図である。
【図５】第１の実施形態の照明装置１０の全体図である。
【符号の説明】
【００７７】
１            発光素子モジュール
１ａ          発光素子
１ｂ          リフレクタ
１ｃ          レンズ
１ｄ          熱インターフェース材
１ｅ          ハウジング
１ｅ１        フィン
１ｆ          カバー
２            取り付け部材
３            ランプ傘
４            支柱
１０          照明装置
【図１】
2007220572.tif 000003
【図２】
2007220572.tif 000004
【図３】
2007220572.tif 000005
【図４】
2007220572.tif 000006
【図５】
2007220572.tif 000007